(57)【要約】  本開示は、ソース基地局が端末との接続にリンク品質低下が現れたことを検知することと、ＣＵでＤＵの伝送未成功のデータをダウンリンクデータフレームで目標基地局に送信し、前記目標基地局で前記伝送未成功のデータを前記端末に伝送することと、あるいは、目標基地局がソース基地局のリンク品質低下メッセージを受信した後、ソース基地局への配布データの送信を停止するとともにメッセージに含まれる連続伝送成功のデータの最大シーケンス番号が指示する伝送未成功のデータを前記端末に伝送することと、を含むデータ伝送方法及び装置を提供することで、関連技術の基地局デュアル接続技術において、ある基地局がＣＵ／ＤＵ分離アーキテクチャを採用した場合、ＤＵデータ伝送のダウンリンクの品質が低下しでも、ネットワーク側は能動的に関連の調整を行う手段がないため、データ伝送遅延の増加、ひいてはパケットドロップの発生をもたらす問題を解決して、データ伝送遅延が低下し、パケットドロップが減少し、ユーザーエクスペリエンスを高めた。【選択図】図４
2021503731.tif 000002
【特許請求の範囲】
【請求項１】
ソース基地局は分散型処理ユニットＤＵで端末との接続にリンク品質低下が現れたことを検知することと、
前記ソース基地局は集中型処理ユニットＣＵで前記ＤＵの伝送未成功のデータを確定し、前記ＣＵで前記ＤＵの伝送未成功のデータをダウンリンクデータフレームで目標基地局に送信し、前記ダウンリンクデータフレームは前記目標基地局が前記伝送未成功のデータを前記端末に伝送するために用いられることと、あるいは、前記ソース基地局は前記目標基地局に前記ソース基地局のリンク品質低下メッセージを送信し、前記リンク品質低下メッセージには伝送成功したデータのシーケンス番号が含まれ、前記リンク品質低下メッセージは前記目標基地局が前記シーケンス番号に基づいて前記ＤＵの伝送未成功のデータを確定し、前記ソース基地局への配布データの送信を停止するとともに前記ＤＵの伝送未成功のデータを前記端末に伝送することに用いられることとを含む、
データ伝送方法。
【請求項２】
前記ソース基地局が前記ＣＵで前記ＤＵの伝送未成功のデータをダウンリンクデータフレームで目標基地局に送信することは、
前記ソース基地局は前記ソース基地局と前記目標基地局の間のインターフェースで前記ダウンリンクデータフレームを前記目標基地局に送信し、前記ダウンリンクデータフレームには前記ＤＵの伝送未成功のデータが含まれることとを含む、
請求項１に記載のデータ伝送方法。
【請求項３】
前記ソース基地局が前記ＣＵで前記ＤＵの伝送未成功のデータをダウンリンクデータフレームで目標基地局に送信した後、前記データ伝送方法は、
前記ソース基地局は前記ＤＵへのデータ送信を停止し、コアネットワークより受信したデータを前記目標基地局に送信し、前記目標基地局で前記データを前記端末に伝送することをさらに含む、
請求項１に記載のデータ伝送方法。
【請求項４】
前記ソース基地局が前記ＣＵで前記ＤＵの伝送未成功のデータを確定することは、
前記ソース基地局はＤＵで前記ＣＵにリンク品質低下メッセージを送信し、前記リンク品質低下メッセージには、前記ＤＵの伝送成功データのシーケンス番号が含まれることと、
前記ソース基地局は前記ＣＵで前記シーケンス番号に基づいて前記ＤＵの伝送未成功のデータを確定することとを含む、
請求項１に記載のデータ伝送方法。
【請求項５】
前記ソース基地局は前記ＤＵで前記端末との接続リンクが正常に回復したことを検知することと、
前記ソース基地局は前記ＤＵで前記ＣＵにリンクが正常に回復したことを表す回復メッセージを送信することと、
前記ソース基地局は前記ＣＵで前記ＤＵへの前記端末のサービスキャリアデータの送信を再開することとをさらに含む、
請求項１〜４のいずれか１項に記載のデータ伝送方法。
【請求項６】
前記ソース基地局が前記ＤＵで前記ＣＵにリンク品質低下メッセージを送信した後、前記データ伝送方法は、
前記ソース基地局は前記ＣＵでタイマーを起動し、タイマーが時間切れになる前に前記ＤＵからの前記回復メッセージを受信した場合、前記タイマーをクリアすることと、
タイマーが時間切れになっても前記ＤＵからの前記回復メッセージを受信しなかった場合、前記端末のサービス接続をリリースすることとをさらに含む、
請求項４に記載のデータ伝送方法。
【請求項７】
前記ソース基地局が前記目標基地局にソース基地局のリンク品質低下メッセージを送信した後、前記データ伝送方法は、
前記ソース基地局は前記ＤＵで前記端末との接続リンクが正常に回復したことを検知することと、
前記ソース基地局は前記ＤＵで前記ＣＵにリンクが正常に回復したことを表す回復メッセージを送信することと、
前記ソース基地局は前記ＣＵで前記目標基地局に前記回復メッセージを送信し、前記回復メッセージは前記目標基地局が前記ソース基地局への配布データの送信を回復することに用いられることとをさらに含む、
請求項１に記載のデータ伝送方法。
【請求項８】
前記ダウンリンクデータフレームには再送データ指示が含まれ、前記再送データ指示は前記目標基地局が再送データを識別し優先的に処理することを指示することに用いられる、
請求項１に記載のデータ伝送方法。
【請求項９】
目標基地局は、ソース基地局がダウンリンクデータフレームで送信した分散型処理ユニットＤＵの伝送未成功のデータを受信し、前記ダウンリンクデータフレームは前記ソース基地局が集中型処理ユニットＣＵで送信したものであり、前記ＤＵの伝送未成功のデータは、前記ソース基地局が前記ＤＵで端末との接続にリンク品質低下が現れたことを検知した場合に前記ＣＵで確定したものであり、前記ダウンリンクデータフレームに含まれる伝送未成功のデータを前記端末に伝送すること、あるいは、前記目標基地局は前記ソース基地局が送信した前記ソース基地局のリンク品質低下メッセージを受信し、前記リンク品質低下メッセージに伝送成功したデータのシーケンス番号が含まれ、前記シーケンス番号に基づいて前記ＤＵの伝送未成功のデータを確定し、前記ソース基地局への配布データの送信を停止するとともに前記ＤＵの伝送未成功のデータを前記端末に伝送することを含む、
データ伝送方法。
【請求項１０】
前記目標基地局で再送データ指示に基づいて前記伝送未成功のデータを前記端末に伝送すると同時に、あるいは、伝送した後に、前記目標基地局は前記ソース基地局が送信するコアネットワークより受信したデータを受信することと、
前記目標基地局は前記データを前記端末に伝送することとをさらに含む、
請求項９に記載のデータ伝送方法。
【請求項１１】
前記目標基地局は、ソース基地局がダウンリンクデータフレームで送信したＤＵの伝送未成功のデータを受信した後、前記データ伝送方法は、
前記ダウンリンクデータフレームには再送データ指示がさらに含まれ、前記目標基地局は前記再送データ指示で前記データを再送データとして認識することと、
前記データの送信優先度を高めることとをさらに含む、
請求項９に記載のデータ伝送方法。
【請求項１２】
前記シーケンス番号で前記ＤＵの伝送未成功のデータを確定し、前記ソース基地局への配布データの送信を停止するとともに前記ＤＵの伝送未成功のデータを前記端末に伝送した後、前記データ伝送方法は、
前記目標基地局は前記ソース基地局が前記ＣＵで送信した回復メッセージを受信し、前記回復メッセージは前記ソース基地局が前記ＤＵで前記端末との接続リンクが正常に回復したことを検知した後、前記ＤＵで前記ＣＵに送信したものであることと、
前記目標基地局は前記回復メッセージに基づいて前記ソース基地局への配布データの送信を回復することとをさらに含む、
請求項９に記載のデータ伝送方法。
【請求項１３】
ソース基地局に応用されるデータ伝送装置であって、
分散型処理ユニットＤＵで端末との接続にリンク品質低下が現れたことを検知するように設定される検知モジュールと、
集中型処理ユニットＣＵで前記ＤＵの伝送未成功のデータを確定し、前記ＣＵで前記ＤＵの伝送未成功のデータをダウンリンクデータフレームで目標基地局に送信し、前記ダウンリンクデータフレームは前記目標基地局が前記伝送未成功のデータを前記端末に伝送するために用いられるように設定される第１送信モジュール、あるいは、前記目標基地局に前記ソース基地局のリンク品質低下メッセージを送信し、前記リンク品質低下メッセージには伝送成功したデータのシーケンス番号が含まれ、前記リンク品質低下メッセージは前記目標基地局が前記シーケンス番号に基づいて前記ＤＵの伝送未成功のデータを確定し、前記ソース基地局への配布データの送信を停止するとともに前記ＤＵの伝送未成功のデータを前記端末に伝送することに用いられるように設定される第２送信モジュールとを備える、
データ伝送装置。
【請求項１４】
目標基地局に応用されるデータ伝送装置であって、
ソース基地局がダウンリンクデータフレームで送信した分散型処理ユニットＤＵの伝送未成功のデータを受信し、前記ダウンリンクデータフレームは前記ソース基地局が集中型処理ユニットＣＵで送信したものであり、前記ＤＵの伝送未成功のデータは、前記ソース基地局が前記ＤＵで端末との接続にリンク品質低下が現れたことを検知した場合に前記ＣＵで確定したものであり、前記ダウンリンクデータフレームに含まれる伝送未成功のデータを前記端末に伝送するように設定される第１受信モジュール、あるいは、前記ソース基地局が送信した前記ソース基地局のリンク品質低下メッセージを受信し、前記リンク品質低下メッセージに伝送成功したデータのシーケンス番号が含まれ、前記シーケンス番号に基づいて前記ＤＵの伝送未成功のデータを確定し、前記ソース基地局への配布データの送信を停止するとともに前記ＤＵの伝送未成功のデータを前記端末に伝送するように設定される第２受信モジュールを備える、
データ伝送装置。
【請求項１５】
記憶したプログラムを含む記憶媒体であって、前記プログラムが作動されると、請求項１〜８又は請求項９〜１２のいずれか１項に記載のデータ伝送方法を実行する、記憶媒体。
【請求項１６】
プログラムを作動させるプロセッサーであって、前記プログラムが作動されると、請求項１〜８又は請求項９〜１２のいずれか１項に記載のデータ伝送方法を実行する、プロセッサー。
【発明の詳細な説明】
【技術分野】
【０００１】
本開示は、通信分野に関し、具体的には、データ伝送方法及び装置に関する。
【背景技術】
【０００２】
５Ｇネットワークアーキテクチャは、革新性とネットワークを構築する際の柔軟性があり、５Ｇネットワークにおいて、無線アクセスネットワーク側の基地局は、集中型処理ユニット（Ｃｅｎｔｒａｌｉｚｅｄ  Ｕｎｉｔ、ＣＵ）と分散型処理ユニット（Ｄｉｓｔｒｉｂｕｔｅｄ  Ｕｎｉｔ、ＤＵ）の２つの機能エンティティに分離され、１つの基地局は１つのＣＵ、及び１つ又は複数のＤＵを含む。ＣＵ／ＤＵ分離アーキテクチャにおいて、遅延に敏感ではないネットワーク機能は集中型処理ユニットＣＵに配置され、遅延に敏感のネットワーク機能は分散型処理ユニットＤＵに配置され、ＣＵとＤＵの間は、理想的又は非理想的なフロントホール（ｆｒｏｎｔｈａｕｌ）で伝送と接続を行う。
【０００３】
図１は関連技術に基づく端末と１つの基地局の複数のＤＵとの接続の模式図であり、図１に示すように、ユーザーにより高いスループットを提供するために、従来の無線ネットワーク技術は、端末と１つの基地局の複数のＤＵとの接続をサポートし、端末は同時に２つ又は複数のＤＵを経由して同時にデータを送受信する。
【０００４】
従来のＣＵ／ＤＵ分離アーキテクチャにおいて、ＣＵ／ＤＵの高層レイヤーの分離案について、ＰＤＣＰ及びＰＤＣＰ以上のエンティティはＣＵに配置され、ＲＬＣ及びＲＬＣ以下のエンティティはＤＵに配置される。端末が１つの基地局の複数のＤＵと接続した場合、基地局のＣＵエンティティはダウンリンクのＰＤＣＰ  ＰＤＵデータを２つ以上のＤＵに配布して端末に伝送してもよく、データ伝送のプロセスにおいて、仮にあるＤＵは端末サービス接続「ｏｕｔａｇｅ」（本文において、ｏｕｔａｇｅは、一時的なリンク品質低下と定義される）が発生した場合、データ伝送の遅延とパケットドロップを減少するために、該ＤＵがＣＵにｏｕｔａｇｅメッセージを送る必要があり、ｏｕｔａｇｅメッセージにはＤＵが継続的に送信成功した最大のＰＤＣＰ  ＳＮシーケンス番号が含まれ、ＣＵは該ＤＵのｏｕｔａｇｅメッセージを受信し、ＣＵは、該ｏｕｔａｇｅメッセージに含まれる「最大ＰＤＣＰ  ＳＮシーケンス番号」で、ＤＵに送信したどのＰＤＣＰ  ＰＤＵが未だ該ＤＵにより送信成功していないかを判断し、ＣＵはこれらの送信未成功のＰＤＣＰ  ＰＤＵデータを他の１つのＤＵに送信して端末に伝送することで、データ送信遅延とパケットドロップを減少可能である。「ｏｕｔａｇｅ」が発生したＤＵのリンク品質が回復した後、ＤＵはＣＵに端末サービス接続の「ＲＥＳＵＭＥ」メッセージを送信してもよく、この「ＲＥＳＵＭＥ」メッセージは、ＣＵにその端末の接続リンク品質が回復したことを通知することで、ＣＵが端末サービスキャリアデータを該ＤＵに送信し伝送することを回復させるために用いられる。しかし、関連技術において、ＣＵは、ソースＤＵの伝送未成功のデータを目標ＤＵに送信し再度伝送するが、目標ＤＵがこれらのデータが再度伝送するデータであるか、又は新たに伝送するデータであるかを識別できず、これらのデータを送信キューの最後に配置する恐れがあるため、データ伝送の遅延を高めた。
【０００５】
また、従来の無線通信技術は、基地局デュアル接続技術もサポートし、１つのユーザーは２つ以上の基地局との接続を維持してもよく、１つの端末のサービスキャリアデータは２つ以上の基地局に配布して伝送してもよい。図２は関連技術に基づく基地局デュアル接続の模式図であり、図２に示すように、アンカー基地局とは、コアネットワークと接続するものであって、コアネットワークからの端末サービスキャリアデータを受信することに用いられる基地局である。配布基地局とは、アンカー基地局と接続するものであって、アンカー基地局より配布した端末サービスキャリアデータを受信することに用いられる基地局である。ユーザー端末はアンカー基地局及び配布基地局と同時に接続する。
【０００６】
基地局デュアル接続技術を採用し、ある基地局はＣＵ／ＤＵ分離アーキテクチャを採用している場合、当該基地局のＤＵは端末サービスリンクの一時的な品質低下が発生した後、従来のデュアル接続技術は当該基地局のＤＵの端末リンク品質が回復した後にデータ伝送を再開せざるを得ず、該基地局のＤＵに端末接続リンクの品質低下が発生して当該基地局のＤＵの伝送未成功のデータを他の１つの基地局に送信して伝送することができないため、データ伝送遅延の増加、ひいてはパケットドロップの発生をもたらす。そのため、従来のデュアル接続技術において、ある基地局がＣＵ／ＤＵ分離アーキテクチャを採用した場合、ＤＵデータ伝送のダウンリンクの品質が低下しでも、ネットワーク側は能動的に関連調整を行う手段がないため、データ伝送遅延の増加、ひいてはパケットドロップの発生をもたらす。
【０００７】
関連技術の基地局デュアル接続技術において、ある基地局がＣＵ／ＤＵ分離アーキテクチャを採用した場合、ＤＵデータ伝送のダウンリンクの品質が低下しでも、ネットワーク側は能動的に関連の調整を行う手段がないため、データ伝送遅延の増加、ひいてはパケットドロップの発生をもたらす問題に対して、未だ解決案がない。
【発明の概要】
【発明が解決しようとする課題】
【０００８】
本開示実施例は、少なくとも、関連技術の基地局デュアル接続技術において、ある基地局がＣＵ／ＤＵ分離アーキテクチャを採用した場合、ＤＵデータ伝送のダウンリンク品質が低下しても、ネットワーク側は能動的に関連の調整を行う手段がないため、データ伝送遅延の増加、ひいてはパケットドロップの発生をもたらす問題を解決するデータ伝送方法及び装置を提供する。
【課題を解決するための手段】
【０００９】
本開示の１つの実施例によれば、データ伝送方法であって、ソース基地局は分散型処理ユニットＤＵで端末との接続にリンク品質低下が現れたことを検知することと、前記ソース基地局は集中型処理ユニットＣＵで前記ＤＵの伝送未成功のデータを確定し、前記ＣＵで前記ＤＵの伝送未成功のデータをダウンリンクデータフレームで目標基地局に送信し、前記ダウンリンクデータフレームは前記目標基地局が前記伝送未成功のデータを前記端末に伝送するために用いられることと、あるいは、前記ソース基地局は前記目標基地局に前記ソース基地局のリンク品質低下メッセージを送信し、前記リンク品質低下メッセージには伝送成功したデータのシーケンス番号が含まれ、前記リンク品質低下メッセージは前記目標基地局が前記シーケンス番号に基づいて前記ＤＵの伝送未成功のデータを確定し、前記ソース基地局への配布データの送信を停止するとともに前記ＤＵの伝送未成功のデータを前記端末に伝送することに用いられることとを含む、データ伝送方法を提供する。
【００１０】
好ましくは、前記ソース基地局が前記ＣＵで前記ＤＵの伝送未成功のデータをダウンリンクデータフレームで目標基地局に送信することは、前記ソース基地局は前記ソース基地局と前記目標基地局の間のインターフェースで前記ダウンリンクデータフレームを前記目標基地局に送信し、前記ダウンリンクデータフレームには前記ＤＵの伝送未成功のデータが含まれることとを含む。
【００１１】
好ましくは、前記ソース基地局が前記ＣＵで前記ＤＵの伝送未成功のデータをダウンリンクデータフレームで目標基地局に送信した後、前記データ伝送方法は、前記ソース基地局は前記ＤＵへのデータ送信を停止し、コアネットワークより受信したデータを前記目標基地局に送信し、前記目標基地局で前記データを前記端末に伝送することをさらに含む。
【００１２】
好ましくは、前記ソース基地局が前記ＣＵで前記ＤＵの伝送未成功のデータを確定することは、前記ソース基地局はＤＵで前記ＣＵにリンク品質低下メッセージを送信し、前記リンク品質低下メッセージには、前記ＤＵの伝送成功データのシーケンス番号が含まれることと、前記ソース基地局は前記ＣＵで前記シーケンス番号に基づいて前記ＤＵの伝送未成功のデータを確定することとを含む。
【００１３】
好ましくは、前記データ伝送方法は、前記ソース基地局は前記ＤＵで前記端末との接続リンクが正常に回復したことを検知することと、前記ソース基地局は前記ＤＵで前記ＣＵにリンクが正常に回復したことを表す回復メッセージを送信することと、前記ソース基地局は前記ＣＵで前記ＤＵへの前記端末のサービスキャリアデータの送信を再開することとをさらに含む。
【００１４】
好ましくは、前記ソース基地局が前記ＤＵで前記ＣＵにリンク品質低下メッセージを送信した後、前記データ伝送方法は、前記ソース基地局は前記ＣＵでタイマーを起動し、タイマーが時間切れになる前に前記ＤＵからの前記回復メッセージを受信した場合、前記タイマーをクリアすることと、タイマーが時間切れになっても前記ＤＵからの前記回復メッセージを受信しなかった場合、前記端末のサービス接続をリリースすることとをさらに含む。
【００１５】
好ましくは、前記ソース基地局が前記目標基地局にソース基地局のリンク品質低下メッセージを送信した後、前記データ伝送方法は、前記ソース基地局は前記ＤＵで前記端末との接続リンクが正常に回復したことを検知することと、前記ソース基地局は前記ＤＵで前記ＣＵにリンクが正常に回復したことを表す回復メッセージを送信することと、前記ソース基地局は前記ＣＵで前記目標基地局に前記回復メッセージを送信し、前記回復メッセージは前記目標基地局が前記ソース基地局への配布データの送信を回復することに用いられることとをさらに含む。
【００１６】
好ましくは、前記ダウンリンクデータフレームには再送データ指示が含まれ、前記再送データ指示は前記目標基地局が再送データを識別し優先的に処理することを指示することに用いられる。
【００１７】
本開示の他の実施例によれば、データ伝送方法であって、目標基地局は、ソース基地局がダウンリンクデータフレームで送信した分散型処理ユニットＤＵの伝送未成功のデータを受信し、前記ダウンリンクデータフレームは前記ソース基地局が集中型処理ユニットＣＵで送信したものであり、前記ＤＵの伝送未成功のデータは、前記ソース基地局が前記ＤＵで端末との接続にリンク品質低下が現れたことを検知した場合に前記ＣＵで確定したものであり、前記ダウンリンクデータフレームに含まれる伝送未成功のデータを前記端末に伝送すること、あるいは、前記目標基地局は前記ソース基地局が送信した前記ソース基地局のリンク品質低下メッセージを受信し、前記リンク品質低下メッセージに伝送成功したデータのシーケンス番号が含まれ、前記シーケンス番号に基づいて前記ＤＵの伝送未成功のデータを確定し、前記ソース基地局への配布データの送信を停止するとともに前記ＤＵの伝送未成功のデータを前記端末に伝送することを含む、データ伝送方法をさらに提供する。
【００１８】
好ましくは、前記データ伝送方法は、前記目標基地局で再送データ指示に基づいて前記伝送未成功のデータを前記端末に伝送すると同時に、あるいは、伝送した後に、前記目標基地局は前記ソース基地局が送信するコアネットワークより受信したデータを受信することと、前記目標基地局は前記データを前記端末に伝送することとをさらに含む。
【００１９】
好ましくは、前記目標基地局は、ソース基地局がダウンリンクデータフレームで送信したＤＵの伝送未成功のデータを受信した後、前記データ伝送方法は、前記ダウンリンクデータフレームには再送データ指示がさらに含まれ、前記目標基地局は前記再送データ指示で前記データを再送データとして認識することと、前記データの送信優先度を高めることとをさらに含む。
【００２０】
好ましくは、前記シーケンス番号で前記ＤＵの伝送未成功のデータを確定し、前記ソース基地局への配布データの送信を停止するとともに前記ＤＵの伝送未成功のデータを前記端末に伝送した後、前記データ伝送方法は、前記目標基地局は前記ソース基地局が前記ＣＵで送信した回復メッセージを受信し、前記回復メッセージは前記ソース基地局が前記ＤＵで前記端末との接続リンクが正常に回復したことを検知した後、前記ＤＵで前記ＣＵに送信したものであることと、前記目標基地局は前記回復メッセージに基づいて前記ソース基地局への配布データの送信を回復することとをさらに含む。
【００２１】
本開示の他の実施例によれば、ソース基地局に応用されるデータ伝送装置であって、分散型処理ユニットＤＵで端末との接続にリンク品質低下が現れたことを検知するように設定される検知モジュールと、集中型処理ユニットＣＵで前記ＤＵの伝送未成功のデータを確定し、前記ＣＵで前記ＤＵの伝送未成功のデータをダウンリンクデータフレームで目標基地局に送信し、前記ダウンリンクデータフレームは前記目標基地局が前記伝送未成功のデータを前記端末に伝送するために用いられるように設定される第１送信モジュール、あるいは、前記目標基地局に前記ソース基地局のリンク品質低下メッセージを送信し、前記リンク品質低下メッセージには伝送成功したデータのシーケンス番号が含まれ、前記リンク品質低下メッセージは前記目標基地局が前記シーケンス番号に基づいて前記ＤＵの伝送未成功のデータを確定し、前記ソース基地局への配布データの送信を停止するとともに前記ＤＵの伝送未成功のデータを前記端末に伝送することに用いられるように設定される第２送信モジュールとを備える、データ伝送装置をさらに提供する。
【００２２】
本開示の他の実施例によれば、目標基地局に応用されるデータ伝送装置であって、ソース基地局がダウンリンクデータフレームで送信した分散型処理ユニットＤＵの伝送未成功のデータを受信し、前記ダウンリンクデータフレームは前記ソース基地局が集中型処理ユニットＣＵで送信したものであり、前記ＤＵの伝送未成功のデータは、前記ソース基地局が前記ＤＵで端末との接続にリンク品質低下が現れたことを検知した場合に前記ＣＵで確定したものであり、前記ダウンリンクデータフレームに含まれる伝送未成功のデータを前記端末に伝送するように設定される第１受信モジュール、あるいは、前記ソース基地局が送信した前記ソース基地局のリンク品質低下メッセージを受信し、前記リンク品質低下メッセージに伝送成功したデータのシーケンス番号が含まれ、前記シーケンス番号に基づいて前記ＤＵの伝送未成功のデータを確定し、前記ソース基地局への配布データの送信を停止するとともに前記ＤＵの伝送未成功のデータを前記端末に伝送するように設定される第２受信モジュールを備える、データ伝送装置を提供する。
【００２３】
本開示の更なる実施例は、記憶したプログラムを含む記憶媒体であって、前記プログラムが作動されると、上述したいずれか１項の方法を実行する記憶媒体をさらに提供する。
【００２４】
本開示の更なる実施例は、プログラムを作動させるプロセッサーであって、前記プログラムが作動されると、上述したいずれか１項の方法を実行するプロセッサーをさらに提供する。
【発明の効果】
【００２５】
本開示によれば、ソース基地局が分散型処理ユニットＤＵで端末との接続にリンク品質低下が現れたことを検知し、前記ソース基地局は集中型処理ユニットＣＵで前記ＤＵの伝送未成功のデータを確定し、前記ソース基地局は前記ＣＵで前記ＤＵの伝送未成功のデータをダウンリンクデータフレームで目標基地局に送信し、前記目標基地局が前記伝送未成功のデータを前記端末に伝送し、あるいは、目標基地局のソース基地局のリンク品質低下メッセージの受信でソース基地局への配布データの送信を停止し、メッセージに含まれる連続伝送成功のデータの最大シーケンス番号が指示する伝送未成功のデータを前記端末に伝送することで、関連技術の基地局デュアル接続技術において、ある基地局がＣＵ／ＤＵ分離アーキテクチャを採用した場合、ＤＵデータ伝送のダウンリンクの品質が低下しでも、ネットワーク側は能動的に関連の調整を行う手段がないため、データ伝送遅延の増加、ひいてはパケットドロップの発生をもたらす問題を解決した。リンク品質がよい基地局でデータ再送することを採用することで、データ伝送遅延が低下し、パケットドロップが減少し、ユーザーエクスペリエンスを高めた。
【図面の簡単な説明】
【００２６】
ここで説明される図面は、本開示に対する更なる理解を提供し、本開示の一部を構成し、本開示の模式実施例及びその説明は、本開示を解釈するためのものであり、本開示の技術案を不適当に制限するものではない。
【図１】関連技術に基づく端末と１つの基地局の複数のＤＵとの接続の模式図である。
【図２】関連技術に基づく基地局デュアル接続の模式図である。
【図３】本開示実施例に係るデータ伝送方法の移動端末のハードウェア構造ブロック図である。
【図４】本開示実施例に係るデータ伝送方法のフローチャート１である。
【図５】本開示実施例に係るデータ伝送方法のフローチャート２である。
【図６】本開示実施例に係るネットワークノード間のユーザープレーンデータ伝送のダウンリンクデータフレーム定義の模式図である。
【図７】本開示実施例に係るアンカー基地局のＤＵでｏｕｔａｇｅが発生した後の処理のフローチャートである。
【図８】本開示実施例に係る配布基地局のＤＵでｏｕｔａｇｅが発生した後の処理のフローチャートである。
【図９】本開示実施例に係るデータ伝送装置のブロック図１である。
【図１０】本開示実施例に係るデータ伝送装置のブロック図２である。
【発明を実施するための形態】
【００２７】
以下、図面を参照しながら実施例に結び付けて本開示を説明する。なお、衝突しない場合、本開示の実施例及び実施例の特徴を組み合わせることができる。なお、本開示の明細書と特許請求の範囲及び上述した図面における「第１」と「第２」などの用語は、類似する対象を区別するためのものであり、特定の順序又は前後順序を説明するものではない。
【実施例１】
【００２８】
本開示実施例１に係る方法実施例は、移動端末、コンピュータ端末又は類似する計算装置で実行してもよい。移動端末での実行を例として説明し、図３は本開示実施例に係るデータ伝送方法の移動端末のハードウェア構造ブロック図であり、図３に示すように、移動端末１０は１つ又は２つ（図には１つだけ示す）のプロセッサー１０２（プロセッサー１０２はマイクロプロセッサーＭＣＵ又はプログラマブルロジックデバイスＦＰＧＡ等の処理装置を含むがそれに限定されない）、データ記憶に用いられるメモリー１０４、及び通信機能に用いられる伝送装置１０６を含んでもよい。当業者は、図３に示す構造は説明するためのものに過ぎず、上述した電子装置の構造を限定するものではないことを理解できる。例えば、移動端末１０は図３と比べて多いか又は少ないコンポーネントを有してもよく、あるいは図３と異なる配置を有してもよい。
【００２９】
メモリー１０４は、たとえば、本開示実施例のデータ伝送方法に対応するプログラムコマンド・モジュールなどのアプリケーションのプログラム及びモジュールを記憶するために用いられても良い。プロセッサー１０２は、メモリー１０４に記憶されるプログラム及びモジュールを実行することで、各種機能の実行及びデータの処理を行い、上述した方法を実現する。メモリー１０４は、高速ランダムメモリーを含んでもよく、さらに、たとえば、１つ又は２つの磁気記憶装置、フラッシュメモリーなどの不揮発性メモリー、あるいは、他の不揮発性のソリッドステートメモリーを含んでもよい。一部のインスタンスにおいて、メモリー１０４はプロセッサー１０２に対しリモートで設けられたメモリーをさらに含んでもよく、これらのリモートメモリーはネットワークによって移動端末１０に接続されてもよい。前記ネットワークのインスタンスは、インターネット、イントラネット、ローカルエリアネットワーク、モバイル通信ネットワーク、及びそれらの組み合わせを含むが、それに限定されない。
【００３０】
伝送装置１０６は１つのネットワークを経由してデータを受送信する。前記ネットワークの具体的なインスタンスは、移動端末１０の通信プロバイダーより提供する無線ネットワークを含んでもよい。１つのインスタンスにおいて、伝送装置１０６は１つのネットワークインターフェースコントローラー（Ｎｅｔｗｏｒｋ  Ｉｎｔｅｒｆａｃｅ  Ｃｏｎｔｒｏｌｌｅｒ、ＮＩＣ）を含み、基地局によって他のネットワーク機器と接続し、インターネットと通信することが可能である。１つのインスタンスにおいて、伝送装置１０６は高周波（Ｒａｄｉｏ  Ｆｒｅｑｕｅｎｃｙ、ＲＦ）モジュールであり、無線態様によってインターネットと通信できる。
【００３１】
上述した移動端末に基づき、本開示実施例は１つのデータ伝送方法を提供し、図４は本開示実施例に係るデータ伝送方法のフローチャート１であり、図４に示すように、このデータ伝送方法は、以下のステップを含む。ステップＳ４０２において、ソース基地局は分散型処理ユニットＤＵで端末との接続にリンク品質低下が現れたことを検知する。ステップＳ４０４において、前記ソース基地局は集中型処理ユニットＣＵで前記ＤＵの伝送未成功のデータを確定し、前記ＣＵで前記ＤＵの伝送未成功のデータをダウンリンクデータフレームで目標基地局に送信し、前記ダウンリンクデータフレームは前記目標基地局が前記伝送未成功のデータを前記端末に伝送するために用いられる。あるいは、ステップＳ４０６において、前記ソース基地局は前記目標基地局に前記ソース基地局のリンク品質低下メッセージを送信し、前記リンク品質低下メッセージには伝送成功したデータのシーケンス番号が含まれ、前記リンク品質低下メッセージは前記目標基地局が前記シーケンス番号に基づいて前記ＤＵの伝送未成功のデータを確定し、前記ソース基地局への配布データの送信を停止するとともに前記ＤＵの伝送未成功のデータを前記端末に伝送することに用いられる。
【００３２】
上述したステップによれば、関連技術の基地局デュアル接続技術において、ある基地局がＣＵ／ＤＵ分離アーキテクチャを採用した場合、ＤＵデータ伝送のダウンリンクの品質が低下しても、ネットワーク側は能動的に関連の調整を行う手段がないため、データ伝送遅延の増加、ひいてはパケットドロップの発生をもたらす問題を解決した。リンク品質がよい基地局でデータ再送することを採用することで、データ伝送遅延が低下し、パケットドロップが減少し、ユーザーエクスペリエンスを高めた。
【００３３】
好ましくは、前記ソース基地局が前記ＣＵで前記ＤＵの伝送未成功のデータをダウンリンクデータフレームで目標基地局に送信することは、前記ソース基地局は前記ソース基地局と前記目標基地局の間のインターフェースで前記ダウンリンクデータフレームを前記目標基地局に送信し、前記ダウンリンクデータフレームには前記ＤＵの伝送未成功のデータが含まれることとを含む。
【００３４】
好ましくは、前記ソース基地局が前記ＣＵで前記ＤＵの伝送未成功のデータをダウンリンクデータフレームで目標基地局に送信した後、前記データ伝送方法は、前記ソース基地局は前記ＤＵへのデータ送信を停止し、コアネットワークより受信したデータを前記目標基地局に送信し、前記目標基地局で前記データを前記端末に伝送することをさらに含む。
【００３５】
好ましくは、前記ソース基地局が前記ＣＵで前記ＤＵの伝送未成功のデータを確定することは、前記ソース基地局はＤＵで前記ＣＵにリンク品質低下メッセージを送信し、前記リンク品質低下メッセージには、前記ＤＵの伝送成功データのシーケンス番号が含まれることと、前記ソース基地局は前記ＣＵで前記シーケンス番号に基づいて前記ＤＵの伝送未成功のデータを確定することとを含む。
【００３６】
好ましくは、前記データ伝送方法は、前記ソース基地局は前記ＤＵで前記端末との接続リンクが正常に回復したことを検知することと、前記ソース基地局は前記ＤＵで前記ＣＵにリンクが正常に回復したことを表す回復メッセージを送信することと、前記ソース基地局は前記ＣＵで前記ＤＵへの前記端末のサービスキャリアデータの送信を再開することとをさらに含む。
【００３７】
好ましくは、前記ソース基地局が前記ＤＵで前記ＣＵにリンク品質低下メッセージを送信した後、前記データ伝送方法は、前記ソース基地局は前記ＣＵでタイマーを起動し、タイマーが時間切れになる前に前記ＤＵからの前記回復メッセージを受信した場合、前記タイマーをクリアすることと、タイマーが時間切れになっても前記ＤＵからの前記回復メッセージを受信しなかった場合、前記端末のサービス接続をリリースすることとをさらに含む。
【００３８】
好ましくは、前記ソース基地局が前記目標基地局にソース基地局のリンク品質低下メッセージを送信した後、前記データ伝送方法は、前記ソース基地局は前記ＤＵで前記端末との接続リンクが正常に回復したことを検知することと、前記ソース基地局は前記ＤＵで前記ＣＵにリンクが正常に回復したことを表す回復メッセージを送信することと、前記ソース基地局は前記ＣＵで前記目標基地局に前記回復メッセージを送信し、前記回復メッセージは前記目標基地局が前記ソース基地局への配布データの送信を回復することに用いられることとをさらに含む。
【００３９】
好ましくは、前記ダウンリンクデータフレームには再送データ指示が含まれ、前記再送データ指示は前記目標基地局が再送データを識別し優先的に処理することを指示することに用いられる。
【実施例２】
【００４０】
本開示実施例は、さらにデータ伝送方法を提供し、図５は本開示実施例に係るデータ伝送方法のフローチャート２であり、図５に示すように、このデータ伝送方法は、以下のステップを含む。ステップＳ５０２において、目標基地局は、ソース基地局がダウンリンクデータフレームで送信した分散型処理ユニットＤＵの伝送未成功のデータを受信し、前記ダウンリンクデータフレームは前記ソース基地局が集中型処理ユニットＣＵで送信したものであり、前記ＤＵの伝送未成功のデータは、前記ソース基地局が前記ＤＵで端末との接続にリンク品質低下が現れたことを検知した場合に前記ＣＵで確定したものであり、前記ダウンリンクデータフレームに含まれる伝送未成功のデータを前記端末に伝送する。あるいは、ステップＳ５０４において、前記目標基地局は前記ソース基地局が送信した前記ソース基地局のリンク品質低下メッセージを受信し、前記リンク品質低下メッセージに伝送成功したデータのシーケンス番号が含まれ、前記シーケンス番号に基づいて前記ＤＵの伝送未成功のデータを確定し、前記ソース基地局への配布データの送信を停止するとともに前記ＤＵの伝送未成功のデータを前記端末に伝送する。
【００４１】
好ましくは、前記データ伝送方法は、前記目標基地局で再送データ指示に基づいて前記伝送未成功のデータを前記端末に伝送すると同時に、あるいは、伝送した後に、前記目標基地局は前記ソース基地局が送信するコアネットワークより受信したデータを受信することと、前記目標基地局は前記データを前記端末に伝送することとをさらに含む。
【００４２】
好ましくは、前記目標基地局は、ソース基地局がダウンリンクデータフレームで送信したＤＵの伝送未成功のデータを受信した後、前記データ伝送方法は、前記ダウンリンクデータフレームには再送データ指示がさらに含まれ、前記目標基地局は前記再送データ指示で前記データを再送データとして認識することと、前記データの送信優先度を高め、優先的に再送データを送信することとをさらに含む。
【００４３】
好ましくは、前記シーケンス番号で前記ＤＵの伝送未成功のデータを確定し、前記ソース基地局への配布データの送信を停止するとともに前記ＤＵの伝送未成功のデータを前記端末に伝送した後、前記データ伝送方法は、前記目標基地局は前記ソース基地局が前記ＣＵで送信した回復メッセージを受信し、前記回復メッセージは前記ソース基地局が前記ＤＵで前記端末との接続リンクが正常に回復したことを検知した後、前記ＤＵで前記ＣＵに送信したものであることと、前記目標基地局は前記回復メッセージに基づいて前記ソース基地局への配布データの送信を回復することとをさらに含む。
【００４４】
本開示実施例は、ネットワークノード間のユーザープレーンデータ伝送のダウンリンクデータフレームの定義には、「再送データ指示」フィールドを増やし、基地局内部のＣＵとＤＵの間のインターフェース（Ｆ１インターフェース）、及び基地局と基地局の間のインターフェース（Ｘ２又はＸＮインターフェース）に応用してもよい。ダウンリンクデータフレームには、該フィールドが存在すると再送データであることを表し、存在しないと再送データではないことを表し、あるいは、該フィールドの値がＴＲＵＥであると再送データであり、ＦＡＬＳＥであると再送データではない。
【００４５】
該ダウンリンクデータ定義はＣＵとＤＵの間のインターフェースに応用されると、ＣＵは１つのＤＵの伝送未成功のデータをダウンリンクデータフレームで目標ＤＵに送信し伝送する。目標ＤＵはダウンリンクデータフレームの「再送データ指示」フィールドで該データが再送データであることを識別し、該データの送信優先度を高め、優先的に該データを送信する。
【００４６】
該ダウンリンクデータ定義は基地局と基地局の間のインターフェースに応用されると、ソース基地局は本基地局の伝送未成功のデータをダウンリンクデータフレームで目標基地局に送信し伝送する。目標基地局はダウンリンクデータフレームの「再送データ指示」フィールドで該データが再送データであることを識別し、該データの送信優先度を高め、優先的に該データを送信する。
【００４７】
アンカー基地局のＣＵノードが本基地局のＤＵよりレポートした端末サービス接続ｏｕｔａｇｅメッセージを受信した後、ＣＵはｏｕｔａｇｅメッセージに含まれる「連続送信成功の最大のパケットデータコンバージェンスプロトコル（Ｐａｃｋｅｔ  Ｄａｔａ  Ｃｏｎｖｅｒｇｅｎｃｅ  Ｐｒｏｔｏｃｏｌ、ＰＤＣＰ）ＳＮシーケンス番号」ＩＥでＤＵのどのＰＤＣＰ  ＰＤＵが伝送未成功であるかを判断し、これらのＰＤＣＰ  ＰＤＵを基地局の間のダウンリンクデータフレームで配布基地局に送信し伝送し、そしてダウンリンクデータフレームの「再送データ指示」で該データが再送データであることを表明する。そして本基地局のＤＵへのデータ送信を停止し、コアネットワークより受信した後続の端末サービスキャリアデータを配布基地局に送信し伝送する。配布基地局はアンカー基地局より転送したダウンリンクデータフレームを受信すると、配布基地局はダウンリンクデータフレームの「再送データ指示」フィールドで該データが再送データであることを識別できれば、該データの送信優先度を高め、優先的に該データを送信する。アンカー基地局のＣＵノードは本基地局のＤＵよりレポートした端末サービス接続ｒｅｓｕｍｅメッセージを受信した後、アンカー基地局は本基地局のＤＵへの端末サービスキャリアデータの送信を回復する。好ましくは、アンカー基地局のＣＵが端末接続ｏｕｔａｇｅメッセージを受信した後、タイマーを起動してもよく、タイマーが時間切れになる前にＤＵからの端末接続ＲＥＳＵＭＥメッセージを受信した場合、ＣＵは該タイマーを停止させる。タイマーが時間切れになっても、ＣＵが未だＤＵよりレポートした端末接続ＲＥＳＵＭＥメッセージを受信しなかった場合、ＣＵは端末ＲＲＣ接続リリースプロセスを開始させ、端末のサービス接続をリリースしてもよい。
【００４８】
配布基地局のＣＵノードは本基地局のＤＵよりレポートした端末サービス接続ｏｕｔａｇｅメッセージを受信した後、基地局の間のインターフェースはｏｕｔａｇｅメッセージを直接識別できる場合、配布基地局はアンカー基地局にｏｕｔａｇｅメッセージを直接転送し、そうでなければ配布基地局のＣＵはアンカー基地局に送信するｏｕｔａｇｅメッセージを作成し、配布基地局のＣＵはＤＵからのｏｕｔａｇｅメッセージの「連続送信成功の最大ＰＤＣＰ  ＳＮシーケンス番号」ＩＥを解析し、そして該ＩＥ値を、アンカー基地局に送信する作成したｏｕｔａｇｅメッセージの「連続送信成功の最大ＰＤＣＰ  ＳＮシーケンス番号」ＩＥフィールドに書き込む。配布基地局は該ｏｕｔａｇｅメッセージをアンカー基地局に送信する。配布基地局のＣＵノードは本基地局のＤＵよりレポートした端末サービス接続ＲＥＳＵＭＥメッセージを受信した後、基地局の間のインターフェースはＲＥＳＵＭＥメッセージを直接識別できる場合、配布基地局はアンカー基地局にＲＥＳＵＭＥメッセージを直接転送し、そうでなければ配布基地局のＣＵはアンカー基地局に送信するＲＥＳＵＭＥメッセージを作成し、アンカー基地局に配布基地局の端末サービス伝送リンク品質が既に回復したことを通知することに用いられる。
【００４９】
アンカー基地局は配布基地局が送信した端末サービス接続ｏｕｔａｇｅメッセージを受信した後、アンカー基地局はｏｕｔａｇｅメッセージの「連続送信成功の最大ＰＤＣＰ  ＳＮシーケンス番号」ＩＥで配布基地局のどのＰＤＣＰ  ＰＤＵが伝送未成功であるかを判断し、これらのＰＤＣＰ  ＰＤＵを本基地局より端末に送信する。そして、アンカー基地局は配布基地局への端末サービスキャリアデータの送信を停止する。アンカー基地局は配布基地局よりレポートした端末サービス接続ｒｅｓｕｍｅメッセージを受信した後、アンカー基地局は配布基地局への端末サービスキャリアデータの送信を回復する。好ましくは、アンカー基地局は配布基地局が送信した端末接続ｏｕｔａｇｅメッセージを受信した後、タイマーを起動してもよく、タイマーが時間切れになる前に配布基地局の端末接続ＲＥＳＵＭＥメッセージを受信した場合、アンカー基地局は該タイマーを停止させる。タイマーが時間切れになってもアンカー基地局は未だ配布基地局よりレポートした端末サービス接続ＲＥＳＵＭＥメッセージを受信しなかった場合、アンカー基地局はキャリアタイプ修正プロセスをスタートさせ、配布基地局に配布したサービスキャリアを単独でアンカー基地局で伝送するキャリアタイプに修正してもよいか、あるいは、アンカー基地局は配布基地局ノードのリリースプロセスをスタートさせてもよい。
【００５０】
基地局デュアル接続技術を採用し、ある基地局はＣＵ／ＤＵ分離アーキテクチャを採用している場合、当該基地局のＤＵは端末サービス接続ｏｕｔａｇｅが発生した後、従来のデュアル接続技術は当該基地局のＤＵサービスリンク品質が回復した後にデータ伝送を再開せざるを得ないため、データ伝送遅延の増加、ひいてはパケットドロップの発生をもたらす。本開示の技術を採用した後、ネットワーク側はリンク品質がよい基地局でデータ再送することを採用してもよく、データ伝送遅延が低下し、パケットドロップが減少した。ネットワークノード間のダウンリンクデータフレームの「再送データ指示」フィールドを定義することにより、データが再送データであるか否かを識別することで、該データの送信優先度を高め、データ送信遅延を低下させる。
【００５１】
以下、図面に結び付けて本開示実施例をさらに説明する。
【００５２】
（例１）
図６は、本開示実施例に係るネットワークノード間のユーザープレーンデータ伝送のダウンリンクデータフレーム定義の模式図であり、図６に示すように、基地局内部のＣＵとＤＵの間のインターフェース（Ｆ１インターフェース）、及び基地局と基地局の間のインターフェース（Ｘ２又はＸＮインターフェース）に応用してもよい。ダウンリンクデータフレームは、本開示に係る「再送データ指示」フィールドを含み、他のダウンリンクデータフレームのフィールドは模式図に明記していない。該フィールドが存在すると再送データであることを表し、存在しないと再送データではないことを表し、あるいは、該フィールドの値がＴＲＵＥであると再送データであり、ＦＡＬＳＥであると再送データではない。
【００５３】
該ダウンリンクデータフレーム定義はＣＵとＤＵの間のインターフェースに応用されると、ＣＵは１つのＤＵの伝送未成功のデータをダウンリンクデータフレームで目標ＤＵに送信し伝送する。目標ＤＵはダウンリンクデータフレームの「再送データ指示」フィールドで該データが再送データであることを識別し、該データの送信優先度を高め、優先的に該データを送信する。
【００５４】
該ダウンリンクデータフレーム定義は基地局と基地局の間のインターフェースに応用されると、ソース基地局は本基地局の伝送未成功のデータをダウンリンクデータフレームで目標基地局に送信し伝送する。目標基地局はダウンリンクデータフレームの「再送データ指示」フィールドで該データが再送データであることを識別し、該データの送信優先度を高め、優先的に該データを送信する。  
【００５５】
（例２）
図７は本開示実施例に係るアンカー基地局のＤＵでｏｕｔａｇｅが発生した後の処理のフローチャートであり、図７に示すように、以下のステップを含む。
【００５６】
ステップ１において、端末とアンカー基地局及び配布基地局とはデュアル接続を確立する。アンカー基地局は１つのＣＵ／ＤＵ分離アーキテクチャの基地局である。配布基地局はＣＵ／ＤＵ分離アーキテクチャでもよいし、一体型アーキテクチャでもよい。
【００５７】
ステップ２において、アンカー基地局のＤＵは端末リンク品質ｏｕｔａｇｅを検知する。
【００５８】
ステップ３において、アンカー基地局のＤＵは本基地局のＣＵに端末サービス接続ｏｕｔａｇｅメッセージをレポートする。
【００５９】
ステップ４において、アンカー基地局はＤＵへの端末サービスのダウンリンクデータの送信を停止する。
【００６０】
ステップ５において、アンカー基地局のＣＵはｏｕｔａｇｅメッセージの「連続送信成功の最大ＰＤＣＰ  ＳＮシーケンス番号」ＩＥでＤＵのどのＰＤＣＰ  ＰＤＵが伝送未成功であるかを判断し、これらのＰＤＣＰ  ＰＤＵをダウンリンクデータフレームで配布基地局に送信し伝送する。そしてコアネットワークより受信した後続の端末サービスキャリアデータをダウンリンクデータフレームですべて配布基地局に送信し伝送する。
【００６１】
ステップ６において、配布基地局はダウンリンクデータフレームの「再送データ指示」フィールドで該データが再送データであることを識別し、該データの送信優先度を高め、優先的に該データを送信する。
【００６２】
ステップ７において、アンカー基地局のＤＵが端末サービスリンク品質の回復を検知した後、ＣＵに端末接続ｒｅｓｕｍｅメッセージを送信する。
【００６３】
ステップ８において、アンカー基地局のＣＵノードは本基地局のＤＵよりレポートしたｒｅｓｕｍｅメッセージを受信した後、アンカー基地局は本基地局のＤＵへのデータ送信を回復する。
【００６４】
また、好ましくは、ステップ３の後、アンカー基地局のＣＵが端末サービス接続ｏｕｔａｇｅメッセージを受信した後、タイマーを起動してもよく、タイマーが時間切れになる前にＲＥＳＵＭＥメッセージを受信した場合、ＣＵは該タイマーを停止させる。タイマーが時間切れになっても、ＣＵが未だＤＵのＲＥＳＵＭＥメッセージを受信しなかった場合、ＣＵは端末ＲＲＣ接続リリースプロセスを開始させ、端末との接続をリリースしてもよい。      
【００６５】
（例３）
図８は本開示実施例に係る配布基地局のＤＵでｏｕｔａｇｅが発生した後の処理のフローチャートであり、図８に示すように、以下のステップを含む。
【００６６】
ステップ１において、端末はアンカー基地局及び配布基地局とデュアル接続を確立する。配布基地局は１つのＣＵ／ＤＵ分離アーキテクチャの基地局である。アンカー基地局はＣＵ／ＤＵ分離アーキテクチャでもよいし、一体型アーキテクチャでもよい。
【００６７】
ステップ２において、配布基地局のＤＵは端末リンク品質ｏｕｔａｇｅを検知する。
【００６８】
ステップ３において、配布基地局のＤＵは配布基地局のＣＵに端末サービス接続ｏｕｔａｇｅメッセージをレポートする。
【００６９】
ステップ４において、配布基地局のＣＵノードは本基地局のＤＵよりレポートした端末サービス接続ｏｕｔａｇｅメッセージを受信した後、配布基地局はアンカー基地局にｏｕｔａｇｅメッセージを送信し、ｏｕｔａｇｅメッセージは「連続送信成功の最大ＰＤＣＰ  ＳＮシーケンス番号」ＩＥを含む。
【００７０】
ステップ５において、アンカー基地局は配布基地局が送信した端末サービス接続ｏｕｔａｇｅメッセージを受信した後、配布基地局への端末サービスキャリアデータの送信を停止する。アンカー基地局はｏｕｔａｇｅメッセージの「連続送信成功の最大ＰＤＣＰ  ＳＮシーケンス番号」ＩＥでＤＵのどのＰＤＣＰ  ＰＤＵが伝送未成功であるかを判断し、これらのＰＤＣＰ  ＰＤＵをアンカー基地局より端末に送信する。そしてコアネットワークより受信した後続の端末サービスキャリアデータをすべてアンカー基地局より端末に送信する。
【００７１】
ステップ６において、配布基地局のＤＵが端末サービスリンク品質の回復を検知した後、配布基地局のＣＵに端末サービス接続ｒｅｓｕｍｅメッセージを送信する。
【００７２】
ステップ７において、配布基地局のＣＵは、本基地局のＤＵが送信した端末サービス接続ｒｅｓｕｍｅメッセージを受信した後、配布基地局はアンカー基地局にｒｅｓｕｍｅメッセージを送信する。
【００７３】
ステップ８において、アンカー基地局は配布基地局よりレポートした端末サービス接続ｒｅｓｕｍｅメッセージを受信した後、アンカー基地局は配布基地局への端末サービスキャリアデータの送信を回復する。
【００７４】
好ましくは、ステップ４の後、アンカー基地局は配布基地局が送信した端末接続ｏｕｔａｇｅメッセージを受信した後、タイマーを起動してもよく、タイマーが時間切れになる前に配布基地局の端末接続ＲＥＳＵＭＥメッセージを受信した場合、アンカー基地局は該タイマーを停止させる。タイマーが時間切れになってもアンカー基地局は未だ配布基地局よりレポートしたＲＥＳＵＭＥメッセージを受信しなかった場合、アンカー基地局は端末サービスのキャリアタイプの修正プロセスをスタートさせてもよく、端末サービスのキャリアタイプをアンカー基地局のみで伝送することに修正してもよいか、あるいは、アンカー基地局は配布基地局ノードのリリースプロセスをスタートさせてもよい。      
【実施例３】
【００７５】
本開示の他の実施例によれば、ソース基地局に応用されるデータ伝送装置を提供し、図９は本開示実施例に係るデータ伝送装置のブロック図１であり、図９に示すように、分散型処理ユニットＤＵで端末との接続にリンク品質低下が現れたことを検知することに用いられる検知モジュール９２と、集中型処理ユニットＣＵで前記ＤＵの伝送未成功のデータを確定し、前記ＣＵで前記ＤＵの伝送未成功のデータをダウンリンクデータフレームで目標基地局に送信することに用いられ、前記ダウンリンクデータフレームは前記目標基地局が前記伝送未成功のデータを前記端末に伝送するために用いられる第１送信モジュール９４、あるいは、前記目標基地局に前記ソース基地局のリンク品質低下メッセージを送信するために用いられ、前記リンク品質低下メッセージには伝送成功したデータのシーケンス番号が含まれ、前記リンク品質低下メッセージは前記目標基地局が前記シーケンス番号に基づいて前記ＤＵの伝送未成功のデータを確定し、前記ソース基地局への配布データの送信を停止するとともに前記ＤＵの伝送未成功のデータを前記端末に伝送することに用いられる第２送信モジュール９６とを備える。
【００７６】
前記検知モジュール９２、第１送信モジュール９４及び第２送信モジュール９６の機能は、基地局のコントローラーとプロセッサーで実現可能である。      
【実施例４】
【００７７】
本開示の他の実施例によれば、目標基地局に応用されるデータ伝送装置を提供し、図１０は本開示実施例に係るデータ伝送装置のブロック図２であり、図１０に示すように、
ソース基地局がダウンリンクデータフレームで送信した分散型処理ユニットＤＵの伝送未成功のデータを受信し、前記ダウンリンクデータフレームは前記ソース基地局が集中型処理ユニットＣＵで送信したものであり、前記ＤＵの伝送未成功のデータは、前記ソース基地局が前記ＤＵで端末との接続にリンク品質低下が現れたことを検知した場合に前記ＣＵで確定したものであり、前記ダウンリンクデータフレームに含まれる伝送未成功のデータを前記端末に伝送するために用いられる第１受信モジュール１０２、あるいは、前記ソース基地局が送信した前記ソース基地局のリンク品質低下メッセージを受信し、前記リンク品質低下メッセージに伝送成功したデータのシーケンス番号が含まれ、前記シーケンス番号に基づいて前記ＤＵの伝送未成功のデータを確定し、前記ソース基地局への配布データの送信を停止するとともに前記ＤＵの伝送未成功のデータを前記端末に伝送するために用いられる第２受信モジュール１０４を備える。
【００７８】
前記検知モジュール、第１受信モジュール１０２及び第２受信モジュール１０４の機能は、基地局のコントローラーとプロセッサーで実現可能である。      
【実施例５】
【００７９】
本開示実施例は、記憶したプログラムを含む記憶媒体であって、該プログラムが作動されると、上述したいずれか１項の方法を実行する記憶媒体をさらに提供する。
【００８０】
好ましくは、本実施例において、前記記憶媒体は以下のステップを実行するためのプログラムコードを記憶するように設定されてもよい。
【００８１】
Ｓ１１において、ソース基地局は分散型処理ユニットＤＵで端末との接続にリンク品質低下が現れたことを検知する。
【００８２】
Ｓ１２において、前記ソース基地局は集中型処理ユニットＣＵで前記ＤＵの伝送未成功のデータを確定し、前記ＣＵで前記ＤＵの伝送未成功のデータをダウンリンクデータフレームで目標基地局に送信し、前記ダウンリンクデータフレームは前記目標基地局が前記伝送未成功のデータを前記端末に伝送するために用いられる。
【００８３】
あるいは、Ｓ１３において、前記ソース基地局は前記目標基地局に前記ソース基地局のリンク品質低下メッセージを送信し、前記リンク品質低下メッセージには伝送成功したデータのシーケンス番号が含まれ、前記リンク品質低下メッセージは前記目標基地局が前記シーケンス番号に基づいて前記ＤＵの伝送未成功のデータを確定し、前記ソース基地局への配布データの送信を停止するとともに前記ＤＵの伝送未成功のデータを前記端末に伝送することに用いられる。
【００８４】
好ましくは、本実施例において、前記記憶媒体は、さらに、以下のステップを実行するためのプログラムコードを記憶するように設定されてもよい。
【００８５】
Ｓ２１において、目標基地局は、ソース基地局がダウンリンクデータフレームで送信した分散型処理ユニットＤＵの伝送未成功のデータを受信し、前記ダウンリンクデータフレームは前記ソース基地局が集中型処理ユニットＣＵで送信したものであり、前記ＤＵの伝送未成功のデータは、前記ソース基地局が前記ＤＵで端末との接続にリンク品質低下が現れたことを検知した場合に前記ＣＵで確定したものであり、前記ダウンリンクデータフレームに含まれる伝送未成功のデータを前記端末に伝送する。
【００８６】
あるいは、Ｓ２２において、前記目標基地局は前記ソース基地局が送信した前記ソース基地局のリンク品質低下メッセージを受信し、前記リンク品質低下メッセージに伝送成功したデータのシーケンス番号が含まれ、前記シーケンス番号に基づいて前記ＤＵの伝送未成功のデータを確定し、前記ソース基地局への配布データの送信を停止するとともに前記ＤＵの伝送未成功のデータを前記端末に伝送する。
【００８７】
好ましくは、本実施例において、前記記憶媒体は、ＵＳＢメモリー、読み出し専用メモリー（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、可搬型ディスク、磁気ディスクあるいは光ディスクなど各種プログラムコードを記憶できる媒体を含んでもよいが、それに限定されない。      
【実施例６】
【００８８】
本開示の実施例は、プログラムを作動させるプロセッサーであって、該プログラムが作動されると、上述したいずれか１項の方法のステップを実行するプロセッサーをさらに提供する。
【００８９】
好ましくは、本実施例において、前記プログラムは以下のステップの実行に用いられる。
【００９０】
Ｓ３１において、ソース基地局は分散型処理ユニットＤＵで端末との接続にリンク品質低下が現れたことを検知する。
【００９１】
Ｓ３２において、前記ソース基地局は集中型処理ユニットＣＵで前記ＤＵの伝送未成功のデータを確定し、前記ＣＵで前記ＤＵの伝送未成功のデータをダウンリンクデータフレームで目標基地局に送信し、前記ダウンリンクデータフレームは前記目標基地局が前記伝送未成功のデータを前記端末に伝送するために用いられる。
【００９２】
あるいは、Ｓ３３において、前記ソース基地局は前記目標基地局に前記ソース基地局のリンク品質低下メッセージを送信し、前記リンク品質低下メッセージには伝送成功したデータのシーケンス番号が含まれ、前記リンク品質低下メッセージは前記目標基地局が前記シーケンス番号に基づいて前記ＤＵの伝送未成功のデータを確定し、前記ソース基地局への配布データの送信を停止するとともに前記ＤＵの伝送未成功のデータを前記端末に伝送することに用いられる。
【００９３】
好ましくは、本実施例において、前記プログラムは、さらに、以下のステップの実行に用いられてもよい。
【００９４】
Ｓ４１において、目標基地局は、ソース基地局がダウンリンクデータフレームで送信した分散型処理ユニットＤＵの伝送未成功のデータを受信し、前記ダウンリンクデータフレームは前記ソース基地局が集中型処理ユニットＣＵで送信したものであり、前記ＤＵの伝送未成功のデータは、前記ソース基地局が前記ＤＵで端末との接続にリンク品質低下が現れたことを検知した場合に前記ＣＵで確定したものであり、前記ダウンリンクデータフレームに含まれる伝送未成功のデータを前記端末に伝送する。
【００９５】
あるいは、Ｓ４２において、前記目標基地局は前記ソース基地局が送信した前記ソース基地局のリンク品質低下メッセージを受信し、前記リンク品質低下メッセージに伝送成功したデータのシーケンス番号が含まれ、前記シーケンス番号に基づいて前記ＤＵの伝送未成功のデータを確定し、前記ソース基地局への配布データの送信を停止するとともに前記ＤＵの伝送未成功のデータを前記端末に伝送する。
【００９６】
好ましくは、本実施例における具体的な例は前記実施例と好ましい実施形態において説明した例を参考できるため、ここでは繰り返し説明しない。
【００９７】
当業者であれば、前記本開示の各モジュールと各ステップは、汎用的な計算装置で実現可能であり、１つの計算装置に集中してもよいか、あるいは、２つの計算装置からなるネットワークに分布してもよく、好ましくは、計算装置における実行可能なプログラムコードで実現可能であるため、メモリー装置に記憶されて計算装置により実行してもよく、且ついくつかの状況では、ここで示すか又は説明したステップとは異なる順序で実行してもよく、あるいは、それぞれ集積回路のモジュールにし、あるいは、それらの２つのモジュール又はステップを単体の集積回路のモジュールにして実現する。これにより、本開示は特定のハードウェアとソフトウェアの組み合わせに制限されない。
【００９８】
上記内容は、本開示の好ましい実施例にすぎず、本開示はそれに限定されず、当業者にとって、本開示は各種の変更及び変化を有してもよい。本開示の原則内で行われる任意の修正、同等の代替、改良などは、すべて本開示の保護範囲内に含まれるべきである。
【図１】
2021503731.tif 000003
【図２】
2021503731.tif 000004
【図３】
2021503731.tif 000005
【図４】
2021503731.tif 000006
【図５】
2021503731.tif 000007
【図６】
2021503731.tif 000008
【図７】
2021503731.tif 000009
【図８】
2021503731.tif 000010
【図９】
2021503731.tif 000011
【図１０】
2021503731.tif 000012
【国際調査報告】
2021503731.tif 000013
2021503731.tif 000014
2021503731.tif 000015
2021503731.tif 000016